(57)【要約】【課題】光受信装置による信号検出レベルの劣化を抑え、かつ、安価な光送信装置を提供する。【解決手段】光送信装置は、第１連続光を第１ポートに入力される信号に基づき位相変調して第１位相変調光を生成し、第２連続光を第２ポートに入力される信号に基づき位相変調して第２位相変調光を生成し、第１位相変調光と第２位相変調光とを合成して出力する手段と、入力される電気信号を第１電気信号及び第２電気信号に２分岐し、第１電気信号を第１ポートに入力し、第２電気信号を反転させた第３電気信号を第２ポートに入力する手段と、入力される電気信号を第４電気信号及び第５電気信号に２分岐し、第４電気信号を第１ポートに入力し、第５電気信号を第２ポートに入力する手段と、入力される電気信号を第１ポートに入力する手段と、入力される電気信号を第２ポートに入力する手段と、を備えている。【選択図】図１
2019121840.tif 000002
【特許請求の範囲】
【請求項１】
第１連続光を第１ポートに入力される信号に基づき位相変調して第１位相変調光信号を生成し、第２連続光を第２ポートに入力される信号に基づき位相変調して第２位相変調光信号を生成し、前記第１位相変調光信号と前記第２位相変調光信号とを合成して出力する光変調手段と、
入力される電気信号を第１電気信号及び第２電気信号に２分岐し、前記第１電気信号を前記第１ポートに入力し、前記第２電気信号を反転させた第３電気信号を前記第２ポートに入力する第１処理手段と、
入力される電気信号を第４電気信号及び第５電気信号に２分岐し、前記第４電気信号を前記第１ポートに入力し、前記第５電気信号を前記第２ポートに入力する第２処理手段と、
入力される電気信号を前記第１ポートに入力する第３処理手段と、
入力される電気信号を前記第２ポートに入力する第４処理手段と、
を備えていることを特徴とする光送信装置。
【請求項２】
前記光変調手段は、入力される連続光を２分岐して前記第１連続光及び前記第２連続光を生成することを特徴とする請求項１に記載の光送信装置。
【請求項３】
前記第１ポートと前記第２ポートに同じ信号が入力されるとき、前記第１位相変調光信号と前記第２位相変調光信号の位相差は、π／２であることを特徴とする請求項１又は２に記載の光送信装置。
【請求項４】
前記光変調手段は、二電極型マッハツェンダ変調器であることを特徴とする請求項１から３のいずれか１項に記載の光送信装置。
【請求項５】
入力される電気信号を、前記第１処理手段、前記第２処理手段、前記第３処理手段及び前記第４処理手段のいずれかの入力として振り分ける振分手段をさらに備えていることを特徴とする請求項１から４のいずれか１項に記載の光送信装置。
【請求項６】
前記振分手段には、互いに帯域の異なる複数の電気信号が入力され、
前記振分手段は、前記複数の電気信号のそれぞれを前記第１処理手段、前記第２処理手段、前記第３処理手段及び前記第４処理手段のいずれかの入力として振り分けることを特徴とする請求項５に記載の光送信装置。
【請求項７】
前記振分手段は、前記複数の電気信号のそれぞれについて、電気信号の帯域と、当該電気信号を伝送する距離と、に基づき、当該電気信号を前記第１処理手段、前記第２処理手段、前記第３処理手段及び前記第４処理手段のいずれの入力とするかを判定することを特徴とする請求項６に記載の光送信装置。
【請求項８】
複数の電気信号の帯域が互いに異なる様に周波数変換を行って、前記振分手段に出力する変換手段をさらに備えていることを特徴とする請求項６又は７に記載の光送信装置。
【請求項９】
前記第３処理手段及び前記第４処理手段は、それぞれ、前記入力される電気信号の振幅を調整する調整手段を有することを特徴とする請求項１から８のいずれか１項に記載の光送信装置。
【請求項１０】
二電極型マッハツェンダ変調器と、
電気信号の帯域及び当該電気信号を伝送する距離に基づきチャープパラメータを選択し、選択したチャープパラメータの光変調信号を出力する様に、前記電気信号に基づき前記二電極型マッハツェンダ変調器を駆動する駆動手段と、を備えていることを特徴とする光送信装置。
【請求項１１】
前記駆動手段には、互いに帯域の異なる複数の電気信号が入力され、
前記駆動手段は、前記複数の電気信号のそれぞれについてチャープパラメータを選択し、前記二電極型マッハツェンダ変調器が、前記複数の電気信号のそれぞれについて前記選択したチャープパラメータの光変調信号を出力する様に、前記二電極型マッハツェンダ変調器を駆動することを特徴とする請求項１０に記載の光送信装置。
【請求項１２】
前記駆動手段は、４つのチャープパラメータから１つのチャープパラメータを選択することを特徴とする請求項１０又は１１に記載の光送信装置。
【請求項１３】
二電極型マッハツェンダ変調器と、
入力される、互いに帯域の異なる複数の電気信号それぞれに関連付けられたチャープパラメータを保持する保持手段と、
前記複数の電気信号それぞれについて、前記関連付けられたチャープパラメータの光変調信号を出力する様に前記二電極型マッハツェンダ変調器を駆動する駆動手段と、を備えていることを特徴とする光送信装置。
【発明の詳細な説明】
【技術分野】
【０００１】
本発明は、直接検波方式を使用する光通信システムの光送信装置に関する。
【背景技術】
【０００２】
光通信システムにおいては、波長分散フェージングが生じる。また、波長分散フェージングにより、強度変調（ＩＭ）光信号（又は、振幅変調（ＡＭ）光信号）が位相変調（ＰＭ）光信号に変換され、ＰＭ光信号がＩＭ（又は、ＡＭ）光信号に変換される、ＩＭ（ＡＭ）−ＰＭ変換と呼ばれる現象が生じることが知られている。例えば、光送信装置が送信したＩＭ光信号は、伝送距離に応じて徐々にＰＭ光信号に変化する。このＰＭ光信号は、さらに伝送距離に応じて徐々にＩＭ光信号に変化する。なお、このＩＭ−ＰＭ変換は、周波数特性を有する。つまり、複数のＩＭ光信号を波長多重して光送信装置から送信すると、所定の距離を伝送後においては、その一部がＰＭ光信号になり、その一部がＩＭ光信号のままであり、残りがその中間、つまり、強度変調及び位相変調された光信号になる。直接検波方式の光受信装置は、ＩＭ光信号の強度の変化を電気信号として取り出すため、強度が変化しないＰＭ光信号を検出できない。したがって、光送信装置が送信したＩＭ光信号がＰＭ光信号に変換されるところで光受信装置が受光する様な場合、この光通信システムは動作できない。また、光送信装置が送信したＩＭ光信号が、完全なＰＭ光信号に変換されておらず、強度変調及び位相変調された光信号となるところで光受信装置が受光する様な場合、光受信装置は、光信号の強度の変化を取り出すことができるが、そのレベルは小さくなり信号対雑音比が劣化する。
【０００３】
このため、非特許文献１は、光送信装置に強度変調器と位相変調器の２つの変調器を設け、伝送距離（光受信装置までの距離）と、信号の周波数帯域（信号帯域）に応じて、強度変調器と位相変調器のいずれかを使用する構成を開示している。これは、ＩＭ光信号からＰＭ光信号への変換と、ＰＭ光信号からＩＭ光信号への変換は、各周波数について、同じ伝送距離毎に生じるからである。具体的には、信号帯域が第１周波数帯域であるＩＭ光信号を第１距離だけ伝送すると、当該ＩＭ光信号は完全なＰＭ光信号になるものとする。この場合、信号帯域が第１周波数帯域であるＰＭ光信号を第１距離だけ伝送すると、当該ＰＭ光信号は完全なＩＭ光信号になる。この特性を利用し、非特許文献１は、送信する光信号の信号帯域と、光受信装置までの伝送距離に基づき、当該光信号に対して強度変調と位相変調のいずれを適用するかを決定している。
【０００４】
また、非特許文献２は、二電極型マッハツェンダ変調器(Ｄｕａｌ  ｅｌｅｃｔｒｏｄｅ  Ｍａｃｈ−Ｚｅｈｎｄｅｒ  ｍｏｄｕｌａｔｏｒ：ＤＥＭＺＭ)とデジタル信号処理を用いて、伝送路で発生する分散の逆特性を有するような波形を発生させることで、波長分散を補償する構成を開示している。
【先行技術文献】
【非特許文献】
【０００５】
【非特許文献１】Ｓ．Ｉｓｈｉｍｕｒａ，ｅｔ  ａｌ．，"１．０３２−Ｔｂ/ｓ  ＣＰＲＩ−ｅｑｕｉｖａｌｅｎｔ  ｄａｔａ  ｒａｔｅ  ｔｒａｎｓｍｉｓｓｉｏｎ  ｕｓｉｎｇ  ＩＦ−ｏｖｅｒ−Ｆｉｂｅｒ  ｓｙｓｔｅｍ  ｆｏｒ  ｈｉｇｈ  ｃａｐａｃｉｔｙ  ｍｏｂｉｌｅ  ｆｒｏｎｔｈａｕｌ  ｌｉｎｋｓ"，ｉｎ  Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎ（ＥＣＯＣ２０１７），Ｔｈ．ＰＤＰ．Ｂ．６、２０１７年
【非特許文献２】Ｒ．Ｉ．Ｋｉｌｌｅｙ，ｅｔ  ａｌ．，"Ｅｌｅｃｔｒｏｎｉｃ  ｄｉｓｐｅｒｓｉｏｎ  ｃｏｍｐｅｎｓａｔｉｏｎ  ｂｙ  ｓｉｇｎａｌ  ｐｒｅｄｉｓｔｏｒｔｉｏｎ  ｕｓｉｎｇ  ｄｉｇｉｔａｌ  ｐｒｏｃｅｓｓｉｎｇ  ａｎｄ  ａ  ｄｕａｌ−ｄｒｉｖｅ  Ｍａｃｈ−Ｚｅｈｎｄｅｒ  ｍｏｄｕｌａｔｏｒ"、ＩＥＥＥ  Ｐｈｏｔｏｎ．Ｔｅｃｈｎｏｌ．Ｌｅｔｔ．，ｖｏｌ．１７，７１４−１６、２００５年
【発明の概要】
【発明が解決しようとする課題】
【０００６】
非特許文献１の構成では、強度変調器と位相変調器の２つの変調器を必要とし、光送信装置のコストが高くなる。また、非特許文献１の構成では、周波数帯域と伝送距離によっては、ＩＭ光信号とＰＭ光信号のどちらを送信しても、光受信装置においては、その中間の光変調信号となる場合が生じる。その様な場合、光受信装置が直接検波して出力する電気信号のレベル（信号検出レベル）は小さくなる（劣化する）。一方、非特許文献２の構成では、完全な分散補償が可能であり、信号検出レベルの劣化は生じないが、広帯域の信号処理が必要となり、光送信装置のコストの大幅な増加を招く。
【０００７】
本発明は、安価な構成で、光受信装置による信号検出レベルの劣化を抑えることができる光送信装置を提供するものである。
【課題を解決するための手段】
【０００８】
本発明の一態様によると、光送信装置は、第１連続光を第１ポートに入力される信号に基づき位相変調して第１位相変調光信号を生成し、第２連続光を第２ポートに入力される信号に基づき位相変調して第２位相変調光信号を生成し、前記第１位相変調光信号と前記第２位相変調光信号とを合成して出力する光変調手段と、入力される電気信号を第１電気信号及び第２電気信号に２分岐し、前記第１電気信号を前記第１ポートに入力し、前記第２電気信号を反転させた第３電気信号を前記第２ポートに入力する第１処理手段と、入力される電気信号を第４電気信号及び第５電気信号に２分岐し、前記第４電気信号を前記第１ポートに入力し、前記第５電気信号を前記第２ポートに入力する第２処理手段と、入力される電気信号を前記第１ポートに入力する第３処理手段と、入力される電気信号を前記第２ポートに入力する第４処理手段と、を備えていることを特徴とする。
【発明の効果】
【０００９】
本発明によると、安価な構成で、光受信装置による信号検出レベルの劣化を抑えることができる。
【図面の簡単な説明】
【００１０】
【図１】一実施形態による光送信装置の構成図。
【図２】一実施形態による光変調器の動作の説明図。
【図３】２０ｋｍ伝送後の各変調信号の周波数応答を示す図。
【発明を実施するための形態】
【００１１】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１２】
図１は、本実施形態による光送信装置の構成図である。周波数変換部１には、複数の電気信号が入力される。この電気信号は、後述する様に、連続光を変調するための信号であり、以下では変調信号と呼ぶ。変調信号は、それぞれが情報を搬送している。周波数変換部１は、複数の変調信号それぞれの周波数帯域が重ならない様に、各変調信号の周波数変換を行い、周波数変換後の各変調信号を振分部２に出力する。振分部２は、各変調信号を、分岐部３、調整部４、調整部５、分岐部６のいずれかに振り分ける。
【００１３】
分岐部３は、入力される変調信号を同じ振幅レベルで２分岐し、一方を合波部８に出力し、他方を反転部７に出力する。反転部７は、入力される変調信号の波形を反転させて、反転された変調信号を合波部９に出力する。
【００１４】
調整部４は、入力される変調信号の振幅を√２倍にして、振幅調整後の変調信号を合波部８に出力する。調整部５は、入力される変調信号の振幅を√２倍にして、振幅調整後の変調信号を合波部９に出力する。
【００１５】
分岐部６は、入力される変調信号を同じ振幅レベルで２分岐し、一方を合波部８に出力し、他方を合波部９に出力する。
【００１６】
合波部８は、入力される各変調信号を合波して第１合波信号を生成し、この第１合波信号を二電極型マッハツェンダ変調器（ＤＥＭＺＭ）１０のポートＡに印加する。合波部９は、入力される各変調信号を合波して第２合波信号を生成し、この第２合波信号をＤＥＭＺＭ１０のポートＢに印加する。
【００１７】
図２は、ＤＥＭＺＭ１０による光変調方法の説明図である。ＤＥＭＺＭ１０の光ポートＩＮには、図示しない光源から連続光が入力される。ＤＥＭＺＭ１０の光ポートＩＮに入力された連続光は、第１経路３０１を通過する第１連続光と、第２経路３０２を通過する第２連続光に２分岐される。第１経路３０１を通過した第１連続光と、第２経路３０２を通過した第２連続光は、再度、合波されてＤＥＭＺＭ１０の光ポートＯＵＴから出力される。ここで、ポートＡ及びポートＢへのＤＣバイアス電圧は、第１連続光と第２連続光との位相差がπ／２で合波される様に、印加されている。（以下、このＤＣバイアス電圧を、直交バイアス電圧と呼ぶ。）図２（Ｂ）は、ポートＡ及びポートＢに直交バイアス電圧が印加されている場合の第１連続光１００と第２連続光２００を複素平面上で示したものである。
【００１８】
ＤＥＭＺＭ１０のポートＡには、直交バイアス電圧に加えて変調信号が印加される。つまり、直交バイアス電圧と変調信号を加算した電圧が印加される。この変調信号により、複素平面上において、第１連続光１００は、直交バイアス電圧のみが印加された状態を起点とし、変調信号の振幅に比例してＩ軸との角度が変化する。つまり、ＤＥＭＺＭ１０は、ポートＡに入力される変調信号に基づき第１連続光１００を位相変調する。同様に、ポートＢにも、直交バイアス電圧に加えて変調信号が印加される。この変調信号により、複素平面上において、第２連続光２００は、直交バイアス電圧のみが印加された状態を起点とし、変調信号の振幅に比例してＩ軸との角度が変化する。つまり、ＤＥＭＺＭ１０は、ポートＢに入力される変調信号に基づき第２連続光２００を位相変調する。なお、ポートＡ及びポートＢに印加する変調信号が同じ場合の、Ｉ軸との角度の変化量は同じものとする。
【００１９】
したがって、ＤＥＭＺＭ１０のポートＡ及びポートＢに振幅値が同じで、かつ、正負が逆転した変調信号を印加すると、第１連続光１００と第２連続光２００は、複素平面上においてＩ軸に対して対称に変化し、よって、その合波光は、Ｉ軸上を移動する。つまり、この場合、ＤＥＭＺＭ１０の光ポートＯＵＴから出力される合波光は、印加された変調信号により強度変調された光信号（ＩＭ光信号）となる。なお、このＩＭ光信号は、チャープパラメータα＝０に対応する。
【００２０】
また、ＤＥＭＺＭ１０のポートＡ及びポートＢに同じ変調信号を印加すると、第１連続光１００と第２連続光２００の合波光は、変調信号の振幅に比例して等振幅でＩ軸との角度のみが変化する。つまり、この場合、ＤＥＭＺＭ１０の光ポートＯＵＴから出力される合波光は、印加された変調信号により位相変調された光信号（ＰＭ光信号）となる。なお、このＰＭ光信号は、チャープパラメータα＝＋∞又は−∞に対応する（なお、以下では、α＝＋∞又は−∞を、纏めて∞と表記する）。
【００２１】
また、ＤＥＭＺＭ１０のポートＡのみに変調信号を印加すると、第１連続光１００と第２連続光２００の合波光は、複素平面上において振幅とＩ軸との角度の両方が変化する。つまり、この場合、ＤＥＭＺＭ１０の光ポートＯＵＴから出力される合波光は、印加された変調信号により強度・位相光変調された信号（以下、第１ＩＰＭ光信号と呼ぶ。）となる。なお、この第１ＩＰＭ光信号は、チャープパラメータα＝−１に対応する。
【００２２】
また、ＤＥＭＺＭ１０のポートＢのみに変調信号を印加すると、第１連続光１００と第２連続光２００の合波光は、複素平面上において振幅とＩ軸との角度の両方が変化する。つまり、この場合、ＤＥＭＺＭ１０の光ポートＯＵＴから出力される合波光は、印加された変調信号により強度・位相光変調された信号（以下、第２ＩＰＭ光信号と呼ぶ。）となる。なお、この第２ＩＰＭ光信号は、チャープパラメータα＝＋１に対応する。
【００２３】
図１の構成において、分岐部３に入力された変調信号は、２分岐され、その一方は、合波部８を介してＤＥＭＺＭ１０のポートＡに印加され、他方は、反転部７で反転された後、合波部９を介してＤＥＭＺＭ１０のポートＢに印加される。したがって、ＤＥＭＺＭ１０は、分岐部３に入力された変調信号で連続光を強度変調し、ＩＭ光信号を出力する。同様に、分岐部６に入力された変調信号は、２分岐され、その一方は、合波部８を介してＤＥＭＺＭ１０のポートＡに印加され、他方は、合波部９を介してＤＥＭＺＭ１０のポートＢに印加される。したがって、ＤＥＭＺＭ１０は、分岐部９に入力された変調信号で連続光を位相変調し、ＰＭ光信号を出力する。
【００２４】
また、調整部４に入力された変調信号は、合波部８を介してＤＥＭＺＭ１０のポートＡのみに印加される。したがって、ＤＥＭＺＭ１０は、調整部４に入力された変調信号で連続光を強度・位相変調し、第１ＩＰＭ光信号を出力する。同様に、調整部５に入力された変調信号は、合波部９を介してＤＥＭＺＭ１０のポートＢのみに印加される。したがって、ＤＥＭＺＭ１０は、調整部５に入力された変調信号で連続光を強度・位相変調し、第２ＩＰＭ光信号を出力する。
【００２５】
ＤＥＭＺＭ１０は、実際には、上記４つの変調光信号がまざった光信号を出力するが、各変調信号の周波数帯域は、周波数変換部１での周波数変換により互いに重ならない様にされているため、ＤＥＭＺＭ１０が出力する変調光信号において、各変調信号は、周波数軸上では重なりを持たないことになる。なお、図２（Ｂ）から明らかな様に、ＤＥＭＺＭ１０が出力するＩＭ光信号及びＰＭ光信号の振幅は、それぞれ、第１連続光１００及び第２連続光２００の√２倍になる。調整部４、５において、入力される変調信号を、それぞれ、√２倍にするのは各変調光のパワーの差を抑えるためである。
【００２６】
図３は、チャープパラメータαが０、∞、１、−１である変調光信号を２０ｋｍ伝送して直接検波、つまり、光電変換を行って得られる電気信号の周波数応答特性を示している。なお、上述した様に、チャープパラメータα＝０はＩＭ光信号に対応し、α＝∞はＰＭ光信号に対応し、α＝−１は第１ＩＰＭ光信号に対応し、α＝１は、第２ＩＰＭ光信号に対応する。
【００２７】
図３に示す様に、ＩＭ光信号は１４ＧＨｚにおいて大きく落ち込み、ＰＭ光信号は２０ＧＨｚにおいて大きく落ち込み、第１ＩＰＭ光信号は１０ＧＨｚにおいて大きく落ち込み、第２ＩＰＭ光信号は１７ＧＨｚにおいて大きく落ち込んでいる。これは、送信した各変調光信号が、それら周波数において、ＰＭ光信号となっているからである。一方、ＩＭ光信号は２０ＧＨｚにおいて良好に検出され、ＰＭ光信号は１４ＧＨｚにおいて良好に検出され、第１ＩＰＭ光信号は１７ＧＨｚにおいて良好に検出され、第２ＩＰＭ光信号は１０ＧＨｚにおいて良好に検出される。この良好に検出される周波数は、それら周波数において、送信した各変調信号が、ＩＭ光信号となっていることを示している。
【００２８】
また、図３から明らかな様に、各変調光信号の周波数特性の最も高い部分だけを見ると、周波数に応じて若干の変動があるものの、その変動量は、非特許文献１の構成（α＝０とα＝∞のみを使用）より小さい。本実施形態において、振分部２は、図３に示す特性を有しており、入力される変調信号の周波数（信号帯域）に応じて、４つの変調方式から光受信装置において最も良好に検出される変調方式を選択し、対応するパス、つまり、分岐部３からのパス、調整部４からのパス、調整部５からのパス、分岐部６からのパスのいずれかに出力する。この構成により、１つの光変調器を使用して、複数種類の光変調信号を合成した信号を送信でき、かつ、各光変調信号の光受信装置による信号検出レベルの劣化を抑えることができる。
【００２９】
なお、本発明の光送信装置は、例えば、Ｐ−Ｐ型の光通信システムに適用することができる。この場合、伝送距離は、光受信装置の設置位置に応じて決まるため、例えば、その伝送距離に対応する周波数応答特性（図３）を振分部２に設ければよい。また、本発明の光送信装置は、ＰＯＮ等のＰ−ＭＰ型の光通信システムに適用することができる。この場合、光送信装置は、複数の光受信装置に光信号を送信し、各光受信装置までの伝送距離は、光受信装置毎に異なる。この場合、各伝送距離に対応する周波数応答特性（図３）を振分部２に設ければよい。また、図３に示す様な周波数応答特性を振分部２に設けるのではなく、伝送距離により振分部２が、図３に示す様な周波数応答特性を計算する構成とすることもできる。さらに、オペレータが、図３に示す周波数応答特性に基づき、各変調信号の周波数と、どの変調方式を使用するかを決定して、周波数変換部１及び振分部２に設定する構成とすることもできる。この場合、周波数変換部１は設定に従い周波数変換し、振分部２は、設定に従い振分を行う。
【００３０】
なお、図１の構成において、分岐部３からＤＥＭＺＭ１０までのパス（ＤＥＭＺＭ１０は除く）は、第１処理部を構成している。また、分岐部６からＤＥＭＺＭ１０までのパス（ＤＥＭＺＭ１０は除く）は、第２処理部を構成している。さらに、調整部４からＤＥＭＺＭ１０までのパス（ＤＥＭＺＭ１０は除く）は、第３処理部を構成している。さらに、調整部５からＤＥＭＺＭ１０までのパス（ＤＥＭＺＭ１０は除く）は、第４処理部を構成している。そして、振分部２は、入力される変調信号を、第１処理部、第２処理部、第３処理部、第４処理部のいずれかに向けて出力する。なお、振分部２は、ユーザ設定に従い、或いは、入力される変調信号の周波数帯域とその伝送距離に応じて、入力される変調信号を、第１処理部、第２処理部、第３処理部、第４処理部のいずれかに向けて出力する。
【００３１】
また、図１の構成において、振分部２、分岐部３、調整部４、調整部５、分岐部６、反転部７、合波部８、合波部９は、ＤＥＭＺＭ１０を駆動する駆動部を構成している。そして、この駆動部は、入力される変調信号の周波数帯域と、当該変調信号を伝送する距離と、に応じて選択したチャープパラメータの光変調信号を出力する様に、当該変調信号に基づきＤＥＭＺＭ１０を駆動する様に構成されている。或いは、駆動部は、周波数変換部１から入力される、互いに帯域の異なる複数の変調信号それぞれに関連付けられたチャープパラメータの設定値を保持し、前記複数の変調信号それぞれについて、前記関連付けられたチャープパラメータの光変調信号を出力する様にＤＥＭＺＭ１０を駆動する様に構成されている。
【符号の説明】
【００３２】
３、６：分岐部、４、５：調整部、７：反転部、８、９：合波部、１０：二電極型マッハツェンダ変調器
【図１】
2019121840.tif 000003
【図２】
2019121840.tif 000004
【図３】
2019121840.tif 000005